(57)【特許請求の範囲】
【請求項１】
左右一対の縦枠と上下一対の横枠とを接合してなる開口枠と、
前記縦枠と前記横枠との入隅側の接合部分及び出隅側の接合部分の少なくとも一方に対向するよう前記開口枠に設けられたコーナー部材と
を備えた建具において、
前記コーナー部材と、前記接合部分を含む前記縦枠及び前記横枠との間に介在し、かつ吸水性樹脂よりなる膨潤材を含有する膨潤層と、
前記開口枠に開閉移動するようスライド自在に設けられた障子と
を備え、
前記コーナー部材は、前記障子のうち室内側の障子が開移動する際に前記縦枠に当接することを規制するよう、該縦枠と、前記横枠を構成する上枠との入隅側の接合部分に対向して設けられた障子ストッパであり、
前記膨潤層は、
前記コーナー部材における前記縦枠に対向する部分に貼付された第１シート体と、
前記コーナー部材における前記上枠に対向する部分に貼付された第２シート体と
を有して構成されたことを特徴とする建具。
【請求項２】
前記第２シート体は、前記第１シート体に連続して一体的に設けられたことを特徴とする請求項１に記載の建具。
【発明の詳細な説明】
【技術分野】
【０００１】
本発明は、建具に関するものである。
【背景技術】
【０００２】
従来、例えば引き違い窓のような開口枠に対して障子をスライド自在に支持させた建具が知られている。このような建具を構成する開口枠は、上枠、下枠及び一対の縦枠を四周枠組みして構成されている。また、上記建具を構成する障子は、上框、下框及び一対の縦框を四周框組みして構成された框に、ガラス板のような面材を保持させて構成されるものである。
【０００３】
このような建具においては、開口枠を構成する縦枠の接合面にシート状のシール材を介して上枠若しくは下枠（以下、これら上枠及び下枠を横枠ともいう）の端面を接合させている。このようなシール材が横枠の端面に押圧されて変形することにより止水性の向上を図っている（例えば、特許文献１参照）。
【先行技術文献】
【特許文献】
【０００４】
【特許文献１】実開昭５７−１７４６８１号公報
【発明の概要】
【発明が解決しようとする課題】
【０００５】
ところで、上記建具においては、開口枠に作用する外力等により、上記シール材を介在させていても横枠と縦枠との接合部分に僅かな隙間が生じてしまう虞れがある。このような隙間が生じてしまうと止水性能が確保できず、雨水等の水の浸入を許容してしまう虞れがあった。
【０００６】
本発明は、上記実情に鑑みて、開口枠を構成する縦枠と横枠との止水性能を良好なものとすることができる建具を提供することを目的とする。
【課題を解決するための手段】
【０００７】
上記目的を達成するために、本発明に係る建具は、左右一対の縦枠と上下一対の横枠とを接合してなる開口枠と、前記縦枠と前記横枠との入隅側の接合部分及び出隅側の接合部分の少なくとも一方に対向するよう前記開口枠に設けられたコーナー部材とを備えた建具において、前記コーナー部材と、前記接合部分を含む前記縦枠及び前記横枠との間に介在し、かつ吸水性樹脂よりなる膨潤材を含有する膨潤層と、前記開口枠に開閉移動するようスライド自在に設けられた障子とを備え、前記コーナー部材は、前記障子のうち室内側の障子が開移動する際に前記縦枠に当接することを規制するよう、該縦枠と、前記横枠を構成する上枠との入隅側の接合部分に対向して設けられた障子ストッパであり、前記膨潤層は、前記コーナー部材における前記縦枠に対向する部分に貼付された第１シート体と、前記コーナー部材における前記上枠に対向する部分に貼付された第２シート体とを有して構成されたことを特徴とする。
【０００８】
この発明によれば、コーナー部材と、接合部分を含む縦枠及び横枠との間に介在する膨潤層が、吸水性樹脂よりなる膨潤材を含有するので、縦枠と横枠との接合部分に例えばピンホール等の僅かな隙間が生じてしまい、該隙間を通じて雨水等の水が浸入しても、膨潤材が該水を吸収して膨張することで上記隙間を閉塞し、結果的に該隙間を通じての水の浸入を抑制して止水性能を確保することができる。
【００１０】
この発明によれば、コーナー部材を取り付ける際に、膨潤層を所望の個所に容易に配設することができる。
【００１２】
この発明によれば、膨潤層を配設するために新たな部材を必要とせず、既存の部材を利用して膨潤層を配設することができ、部品点数の増大が顕著なものと成らず、結果的に製造コストの増大化を抑制することができる。
【００１４】
この発明によれば、縦枠と横枠との接合部分に例えばピンホール等の僅かな隙間が生じてしまい該隙間を通じて雨水等の水が浸入しても、第１シート体及び第２シート体に含有される膨潤材が該水を吸収して膨張することで上記隙間を閉塞し、結果的に該隙間を通じての水の浸入を抑制して止水性能を確保することができる。
【００１５】
また本発明は、上記建具において、前記第２シート体は、前記第１シート体に連続して一体的に設けられたことを特徴とする。
【００１６】
この発明によれば、第１シート体と第２シート体とが連続しているので、縦枠と横枠との接合部分に生じた例えばピンホール等の僅かな隙間を通じて雨水等の水が浸入しても、確実に水の浸入を抑制して止水性能を向上させることができる。
【発明の効果】
【００１７】
本発明によれば、開口枠を構成する縦枠と横枠との止水性能を良好なものとすることができるという効果を奏する。
【図面の簡単な説明】
【００１８】
【図１】図１は、本発明の実施の形態である建具を室内側から見た場合を簡略的に示す正面図である。
【図２】図２は、図１に示した建具の要部を示す斜視図である。
【図３】図３は、図１に示した建具の要部の縦断面図である。
【図４】図４は、図１に示した建具の要部を示す斜視図である。
【図５】図５は、図１に示した建具の要部の縦断面図である。
【図６】図６は、図２及び図３に示した上部クレセントストッパを上方から見た場合を示す平面図である。
【図７】図７は、図２及び図３に示した上部クレセントストッパを室内側から見た場合を示す正面図である。
【図８】図８は、図４及び図５に示した下部クレセントストッパを左方から見た場合を示す側面図である。
【図９】図９は、図４及び図５に示した下部クレセントストッパを上方から見た場合を示す平面図である。
【図１０】図１０は、図１に示した建具の要部を示す模式図である。
【図１１】図１１は、図１に示した建具の要部を示す模式図である。
【発明を実施するための形態】
【００１９】
以下に添付図面を参照して、本発明に係る建具の好適な実施の形態について詳細に説明する。
【００２０】
図１は、本発明の実施の形態である建具を室内側から見た場合を簡略的に示す正面図である。ここで例示する建具は、開口枠１０に左右２枚の障子２０を備え、開口枠１０に対して２枚の障子２０を左右方向に開閉移動させる、引き違い窓と称されるものである。
【００２１】
開口枠１０は、上枠１１、下枠１２及び左右一対の縦枠１３，１４を四周枠組みすることによって構成された矩形開口１５を形成するものである。より詳細に説明すると、左側の縦枠（以下、左縦枠ともいう）１３の上側の接合面１３ａと、上枠１１の左端面１１ａとが図示せぬシール材を介在させて接合し、左縦枠１３の下側の接合面１３ｂと、下枠１２の左端面１２ａとが図示せぬシール材を介在させて接合し、更に右側の縦枠（以下、右縦枠ともいう）１４の上側の接合面１４ａと、上枠１１の右端面１１ｂとが図示せぬシール材を介在させて接合し、右縦枠１４の下側の接合面１４ｂと、下枠１２の右端面１２ｂとが図示せぬシール材を介在させて接合することで、矩形開口１５を形成している。つまり、上枠１１及び下枠１２が上下一対の横枠を構成している。
【００２２】
これら上枠１１、下枠１２及び左右一対の縦枠１３，１４は、例えばアルミニウム等の金属製の押し出し形材である。このような開口枠１０は、上枠１１、下枠１２及び左右一対の縦枠１３，１４のそれぞれを家屋の壁等の躯体１に形成された躯体開口２に対してその開口縁部に沿うように取り付けられている。
【００２３】
障子２０は、それぞれ上框２１、下框２２及び左右一対の縦框２３，２４を四周框組みすることによって構成された框の内部にガラス板等の面材２５を保持させたものである。これら上框２１、下框２２及び左右一対の縦框２３，２４は、例えばアルミニウム等の金属製の押し出し形材である。
【００２４】
ところで、上記建具の開口枠１０を構成する左縦枠１３の上側の接合面１３ａと、上枠１１の左端面１１ａとの接合部分の入隅には、図２及び図３に示すように上部クレセントストッパ３０が設けられ、左縦枠１３の下側の接合面１３ｂと下枠１２の左端面１２ａとの接合部分の入隅には、図４及び図５に示すように下部クレセントストッパ４０が設けられている。
【００２５】
これら上部クレセントストッパ３０及び下部クレセントストッパ４０は、室内側の障子２０が左方に移動する場合に該障子２０の左方の縦框（以下、左縦框ともいう）２３に当接することで、該左縦框２３に設けられたクレセント２６が左縦枠１３に当接することを規制するものである。
【００２６】
上記開口枠１０においては、上部クレセントストッパ３０が、左縦枠１３と上枠１１との入隅側の接合部分に対向するよう設けられた本発明のコーナー部材を構成し、下部クレセントストッパ４０が、左縦枠１３と下枠１２との入隅側の接合部分に対向するよう設けられた本発明のコーナー部材を構成している。
【００２７】
図６及び図７は、それぞれ図２及び図３に示した上部クレセントストッパ３０を示すもので、図６は、上方から見た場合を示す平面図であり、図７は、室内側から見た場合を示す正面図である。図８及び図９は、それぞれ図４及び図５に示した下部クレセントストッパ４０を示すもので、図８は、左方から見た場合を示す側面図であり、図９は、上方から見た場合を示す平面図である。
【００２８】
これら図６〜図９に示すように、上部クレセントストッパ３０には、第１上部シート体（第１シート体）３１及び第２上部シート体（第２シート体）３２が貼付されており、下部クレセントストッパ４０には、第１下部シート体４１及び第２下部シート体４２が貼付されている。尚、図６及び図７においては、第１上部シート体３１及び第２上部シート体３２には、便宜上ハッチングを施しており、図８及び図９においては、第１下部シート体４１及び第２下部シート体４２には、便宜上ハッチングを施している。
【００２９】
第１上部シート体３１は、上部クレセントストッパ３０における左縦枠１３と対向する部分のうち、該左縦枠１３と上枠１１との接合部分に近接する上端部に貼付されている。この第１上部シート体３１は、その表面（左面）及び裏面（右面）が接着面となるシート状の形態を成すもので、膨潤材３３（図１０及び図１１参照）を含有して本発明の膨潤層を構成している。
【００３０】
第２上部シート体３２は、上部クレセントストッパ３０における上枠１１と対向する部分のうち、該上枠１１と左縦枠１３との接合部分に近接する左端部に、上記第１上部シート体３１に連続するよう貼付されている。この第２上部シート体３２は、その表面（上面）及び裏面（下面）が接着面となるシート状の形態を成すもので、膨潤材３３を含有して本発明の膨潤層を構成している。
【００３１】
第１下部シート体４１は、下部クレセントストッパ４０における左縦枠１３と対向する室内側部分のうち、該左縦枠１３と下枠１２との接合部分に近接する下端部に貼付されている。この第１下部シート体４１は、その表面（左面）及び裏面（右面）が接着面となるシート状の形態を成すもので、膨潤材４３（図１０及び図１１参照）を含有して本発明の膨潤層を構成している。
【００３２】
第２下部シート体４２は、下部クレセントストッパ４０における下枠１２と対向する室内側部分のうち、該下枠１２と左縦枠１３との接合部分に近接する左端部に、上記第１下部シート体４１に連続するよう貼付されている。この第２下部シート体４２は、その表面（下面）及び裏面（上面）が接着面となるシート状の形態を成すもので、膨潤材４３を含有して本発明の膨潤層を構成している。
【００３３】
上記膨潤材３３，４３は、高吸水性樹脂（ＳＡＰ：Super  Absorbent  Polymer）よりなるものであり、多量の水を吸収してゲル化し、その水を保持する機能を有するものである。尚、上記シート体３１等においては、膨潤材３３，４３以外の成分については特に限定されるものではなく、例えばブチルゴム等の未加硫ゴムが含有されてもよい。
【００３４】
以上のような構成を有する建具においては、図１０に示すように、上部クレセントストッパ３０に貼付された第１上部シート体３１及び第２上部シート体３２が、上枠１１と左縦枠１３との接合部分を含む該上枠１１及び該左縦枠１３と、上部クレセントストッパ３０との間に介在し、下部クレセントストッパ４０に貼付された第１下部シート体４１及び第２下部シート体４２が、下枠１２と左縦枠１３との接合部分を含む該下枠１２及び該左縦枠１３と、下部クレセントストッパ４０との間に介在している。
【００３５】
そのため、上記開口枠１０に作用する外力等により、左縦枠１３と上枠１１及び下枠１２との接合部分に例えばピンホール等の僅かな隙間が生じてしまい、該隙間を通じて雨水等の水が浸入しても、第１上部シート体３１及び第２上部シート体３２に含有される膨潤材３３、並びに第１下部シート体４１及び第２下部シート体４２に含有される膨潤材４３が、図１１に示すように、該水を吸収して膨張することで上記隙間を閉塞し、結果的に該隙間を通じての水の浸入を抑制して止水性能を確保することができる。
【００３６】
以上、本発明の実施の形態である建具によれば、各シート体３１等に含有される膨潤材３３，４３が、左縦枠１３と、上枠１１及び下枠１２との接合部分の隙間より浸入した水を吸収して膨張することで該隙間を閉塞し、結果的に該隙間を通じての水の浸入を抑制して止水性能を確保するので、左縦枠１３と上枠１１及び下枠１２との止水性能を良好なものとすることができる。
【００３７】
上記建具によれば、各シート体３１等が、上部クレセントストッパ３０及び下部クレセントストッパ４０に貼付されているので、上部クレセントストッパ３０及び下部クレセントストッパ４０を取り付ける際に、各シート体３１等を所望の個所に容易に設置させることができる。
【００３８】
上記建具によれば、各シート体３１等が、上部クレセントストッパ３０及び下部クレセントストッパ４０に貼付されているので、各シート体３１等を設置するために新たな部材を必要とせず、既存の部材を利用して各シート体３１等を設置することができ、部品点数の増大が顕著なものと成らず、結果的に製造コストの増大化を抑制することができる。
【００３９】
上記建具によれば、上部クレセントストッパ３０及び下部クレセントストッパ４０に各シート体３１等を貼付したので、障子２０が矩形開口１５を閉塞する場合において、左縦枠１３と、上枠１１及び下枠１２との接合部分の隙間より浸入した水が室内に流れることを防止することができる。
【００４０】
以上、本発明の好適な実施の形態について説明したが、本発明はこれに限定されるものではなく、種々の変更を行うことができる。
【００４１】
上述した実施の形態では、高吸水性樹脂よりなる膨潤材３３等を含有するシート体３１等が本発明の膨潤層を構成するものとして説明したが、本発明においては、膨潤層は、上記シート体３１等により構成されるだけに限られず、上記高吸水性樹脂よりなる膨潤材を含有する材料を塗布等することにより構成されるものであってもよい。
【００４２】
上述した実施の形態では、上部クレセントストッパ３０及び下部クレセントストッパ４０が、コーナー部材の一例として説明したが、本発明においては、上部クレセントストッパ３０のみがコーナー部材であってもよいし、クレセントストッパ３０，４０以外の部材をコーナー部材として用いて膨潤層を配設してもよい。つまり、コーナー部材としては、開移動する障子の縦框が縦枠に当接することを抑制する障子ストッパであってもよいし、更に縦枠と横枠との入隅側の接合部分に対向するよう設けられたものだけでなく、縦枠と横枠との出隅側の接合部分に対向するよう設けられたものであってもよい。
【００４３】
上述した実施の形態では、引き違い窓を建具の一例として説明したが、本発明においては、引き違い窓に限られず、片引き窓、上げ下げ窓、内開き窓、嵌め殺し窓、カーテンウォール、サンルーム等のエクステリア商品に用いられる各種建具、勝手口ドア、玄関ドア等の種々のものに適用できる。
【００４４】
上述した実施の形態では、第１上部シート体３１と第２上部シート体３２とが連続するよう上部クレセントストッパ３０に貼付されていたが、本発明においては、第１上部シート体３１と第２上部シート体３２とは、互いに離隔して設けられていてもよいし、互いに連続して一体的に構成されて設けられていてもよい。同様に、第１下部シート体４１と第２下部シート体４２とは、互いに離隔して設けられていてもよいし、互いに連続して一体的に構成されて設けられていてもよい。一体的に構成されていれば、縦枠１３，１４と横枠１１，１２との接合部分に生じた例えばピンホール等の僅かな隙間を通じて雨水等の水が浸入しても、確実に水の浸入を抑制して止水性能を向上させることができる。
【符号の説明】
【００４５】
１０  開口枠
１１  上枠
１２  下枠
１３  左縦枠
１４  右縦枠
２０  障子
２６  クレセント
３０  上部クレセントストッパ（コーナー部材）
３１  第１上部シート体（第１シート体）
３２  第２上部シート体（第２シート体）
３３  膨潤材
４０  下部クレセントストッパ（コーナー部材）
４１  第１下部シート体
４２  第２下部シート体
４３  膨潤材
【図１】
0006530988.tif 000002
【図２】
0006530988.tif 000003
【図３】
0006530988.tif 000004
【図４】
0006530988.tif 000005
【図５】
0006530988.tif 000006
【図６】
0006530988.tif 000007
【図７】
0006530988.tif 000008
【図８】
0006530988.tif 000009
【図９】
0006530988.tif 000010
【図１０】
0006530988.tif 000011
【図１１】
0006530988.tif 000012